【事件の表示】
　特願２００３−１３６２３０「液晶表示装置」拒絶査定不服審判事件〔平成１６年　２月１２日出願公開、特開２００４−　４６１２３〕について、次のとおり審決する。
【結　論】
　本件審判の請求は、成り立たない。
【理　由】
第１　手続の経緯
　本願は、平成１５年５月１４日（優先権主張平成１４年５月１７日）の出願であって、平成１８年１０月２４日に手続補正がなされ、平成１９年１月３０日に手続補正がなされ、同年３月７日付けで拒絶査定がなされ、これに対し、同年４月１２日に拒絶査定不服審判が請求されるとともに、同年５月７日に手続補正（以下「本件補正」という。）がなされたものである。
　
第２　本件補正についての補正却下の決定
［補正却下の決定の結論］
　本件補正を却下する。
　
［理由］
１　本件補正について
（１）本件補正により、特許請求の範囲は、
「　　【請求項１】
　対向配置された第１の基板及び第２の基板と
　当該基板間の距離を略一定に隔てるスペーサーと、
　その間に挟持された液晶層とを備える液晶表示装置であって、
　前記第１の基板はゲート配線と、
　前記ゲート配線と絶縁膜を介して交差するソース配線と、
　前記ソース配線と接続されたスイッチング素子と、
　前記スイッチング素子に接続され、複数本の略平行な電極よりなる液晶駆動電極と、
　前記液晶駆動電極の前記電極と略平行かつ交互に配置された複数本の電極よりなる共通電極とを備え、
　前記第２の基板はアレイ状に配置された着色層と
　前記着色層の間に設けられた遮光層とを備え、
　前記第１の基板と前記第２の基板を対向配置した際に、前記遮光層が前記ゲート配線、前記液晶駆動電極及び前記共通電極が近接した配向異常領域で幅広に形成され、
　前記遮光層が幅広に形成されている配向異常領域において、前記スペーサーが前記遮光層及び前記ゲート配線に重畳するように形成されている液晶表示装置。
　　【請求項２】
　対向配置された第１の基板及び第２の基板と、
　当該基板間の距離を略一定に隔てるスペーサーと、
　その間に挟持された液晶層とを備える液晶表示装置であって、
　前記第１の基板はゲート配線と、
　前記ゲート配線と絶縁膜を介して交差するソース配線と、
　前記ソース配線と接続されたスイッチング素子と、
　前記スイッチング素子に接続され、複数本の略平行な電極よりなる液晶駆動電極と、
　前記液晶駆動電極の前記電極と略平行かつ交互に配置された複数本の電極よりなる共通電極とを備え、
　前記第２の基板はアレイ状に配置された着色層と、
　前記着色層の間に設けられた遮光層とを備え、
　前記第１の基板と前記第２の基板を対向配置した際に、前記遮光層が前記ソース配線、前記液晶駆動電極及び前記共通電極が近接した配向異常領域で幅広に形成され、
　前記遮光層が幅広に形成されている配向異常領域において、前記スペーサーが前記遮光層及び前記ソース配線に重畳するように形成されている液晶表示装置。
　　【請求項３】
　対向配置された第１の基板及び第２の基板と、
　その基板間の距離を略一定に隔てるスペーサーと、
　その間に挟持された液晶層とを備える液晶表示装置であって、
　前記第１の基板はゲート配線と、
　前記ゲート配線と絶縁膜を介して交差するソース配線と、
　前記ソース配線と接続されたスイッチング素子と、
　前記スイッチング素子に接続された液晶駆動電極と、
　前記液晶駆動電極と対向して設けられた共通電極と、
　前記ゲート配線と略平行に設けられ前記共通電極と接続する共通容量配線とを備え、
　前記第２の基板はアレイ状に配置された着色層と、
　前記着色層の間に設けられた遮光層とを備え、
　前記第１の基板と前記第２の基板を対向配置した際に、前記遮光層が前記ソース配線と前記共通容量配線の交差位置近傍の配向異常領域で幅広に形成され、
　前記遮光層が幅広に形成されている配向異常領域において、前記スペーサーが前記遮光層、及び前記ソース配線と前記共通容量配線の交差位置に重畳するように形成されている液晶表示装置。
　　【請求項４】
　前記スペーサーが第１の基板の上に設けられていることを特徴とする請求項１、２又は３に記載の液晶表示装置。
　　【請求項５】
　前記スペーサーの形状が柱状であることを特徴とする請求項１乃至４いずれかに記載の液晶表示装置。」から、
　
「　　【請求項１】
　対向配置された第１の基板及び第２の基板と
　当該基板間の距離を略一定に隔てるスペーサーと、
　その間に挟持された液晶層とを備える液晶表示装置であって、
　前記第１の基板はゲート配線と、
　前記ゲート配線と絶縁膜を介して交差するソース配線と、
　前記ソース配線と接続されたスイッチング素子と、
　前記スイッチング素子に接続され、複数本の略平行な電極よりなる液晶駆動電極と、
　前記液晶駆動電極の前記電極と略平行かつ交互に配置された複数本の電極よりなる共通電極とを備え、
　前記第２の基板はアレイ状に配置された着色層と
、
　前記着色層の間に設けられた遮光層とを備え、
　前記第１の基板と前記第２の基板を対向配置した際に
、前
黒表示時に光漏れが発生する
前記遮光層が
　前記遮光層が幅広に形成されてい
る領
　　【請求項
２
　前記スペーサーが第１の基板の上に設けられていることを特徴とする請求項
１に
　　【請求項
３
　前記スペーサーの形状が柱状であることを特徴とする請求項１
又は２
（審決注：下線は当審で付した。また、「狭持」は「挟持」の明らかな誤記であると認められるから修正して摘記した。）
　
（２）上記（１）によれば、本件補正前の請求項１に対してなされた補正は、以下のとおりである。
ア　本件補正前の「前記第２の基板はアレイ状に配置された着色層と」との記載を、「前記第２の基板はアレイ状に配置された着色層と、」とする補正。
イ　本件補正前の「前記遮光層が・・・配向異常領域で幅広に形成され、」との記載を、「・・・配向異常領域で、前記遮光層が幅広に形成され、」とする補正。
ウ　本件補正前の請求項１に記載した発明を特定するために必要な事項である「配向異常領域」が、「黒表示時に光漏れが発生する」ものであることを限定する補正。
エ　本件補正前の「前記遮光層が幅広に形成されている配向異常領域において、前記スペーサーが前記遮光層及び前記ゲート配線に重畳するように形成されている」との記載を、「前記遮光層が幅広に形成されている領域に、前記スペーサーが前記遮光層及び前記ゲート配線に重畳するように形成されている」とする補正。
　
（３）上記（２）の各補正について検討する。
ア　上記（２）ア及びイの補正は、実質的な変更を伴うものではないことが明らかである。
イ　上記（２）ウの補正は、平成１８年改正前特許法第１７条の２第４項第２号の特許請求の範囲の減縮を目的としたものに該当する。
ウ　上記（２）エの補正のうち、「・・・領域において」を「・・・領域に」とする補正は実質的な変更を伴うものではない。
エ　上記（２）エの補正のうち、「前記遮光層が幅広に形成されている配向異常領域」を「前記遮光層が幅広に形成されている領域」とする補正について検討する。
（ア）本件補正前の請求項１の記載によれば、「スペーサー」は、「前記第１の基板と前記第２の基板を対向配置した際に、」「前記遮光層及び前記ゲート配線に重畳するように形成されている」とともに、「前記遮光層が幅広に形成されている配向異常領域において、」「前記遮光層及び前記ゲート配線に重畳するように形成されている」とされている。そうすると、ゲート配線上も配向異常領域であることになると解される。
　他方、「配向異常領域」は「前記ゲート配線、前記液晶駆動電極及び前記共通電極が近接した」との事項を満足するものであるところ、かかる事項からは、ゲート配線上が配向異常領域といえるのか明らかではない。
　そうすると、本件補正前の請求項１においては、「配向異常領域」がどのような意味で用いられているのか明らかではなく、その結果、スペーサーがどのように形成されているのかも明らかでないことになる。
　
（イ）そこで、本願の明細書（本件補正前のもの。なお、本件補正前後において、以下の引用箇所の記載内容に変更はない。）をみると、以下の記載がある。
「　　【００４０】
　しかし、図２において点線で囲まれた光漏れ領域Ｃでは、図２に示すように電気力線の方向はラビング方向と異なる方向になる。従って液晶分子１２が傾き、光漏れを発生させる。コントラストを維持するには光漏れ領域Ｃにおいて遮光するためのＢＭ９が必要となる。この領域は黒表示時に光漏れが発生し、遮光を必要とする配向異常領域となる。
　　【００４１】
　本実施の形態ではこの位置にスペーサー８を配置している。この領域以外のゲート配線１上におけるＢＭ９の線幅ｅは、図１に示すａとｂの和になり３０μｍ程度である。従って、ＣＦ基板形成時のスペーサー８の幅精度とＢＭ９に対する位置精度、ＢＭ９の幅精度及び着色層１０の幅精度とＢＭ９に対する位置精度により、スペーサー８がＢＭ９からはみ出したり、着色層１０と重なる。従って、セルギャップの面内均一性を損なう。
　　【００４２】
　ゲート配線１、液晶駆動電極５及び共通電極６が近接する領域では光漏れ領域Ｃを遮光するため、これ以上のＢＭ９の幅がある。従って、スペーサー８をここに配置することで、ＢＭ９からはみ出し及び着色層１０との重なりを防止できる。さらにこの配向異常領域以外の配線幅、ＢＭ幅を狭くすることができＢＭ面積を縮小できる。これにより高開口率を実現することができ、輝度の向上が望める。さらにはバックライトの省電力化、低コスト化が可能となる。
　　【００４３】
　上記に示すように、本実施の形態１では光漏れのためＢＭ幅を広くする必要のあるゲート配線１、液晶駆動電極５及び共通電極６が近接する領域、すなわち配向異常領域にスペーサーを設け、開口率の向上を図るものである。」
　
（ウ）上記（イ）及び本願の図１及び２（本件補正前後で変更はない。）によれば、本願の明細書及び図面には、
ａ　図２の光漏れ領域Ｃが配向異常領域であり（同【００４０】、図２）、
ｂ　スペーサーを配向異常領域に設ける旨の記載も存在するが（同【００４３】）、
ｃ　ゲート配線１、液晶駆動電極５及び共通電極６が近接する領域では光漏れ領域Ｃを遮光するため、３０μｍ程度以上のＢＭ９の幅があり、この領域以外のゲート配線１上におけるＢＭ９の線幅は３０μｍ程度であって、スペーサー８は３０μｍ程度以上のＢＭ９の幅があるところに配置されており、それにより、ＢＭ９からはみ出し及び着色層１０との重なりを防止でき、また、配向異常領域以外の配線幅、ＢＭ幅を狭くすることができ高開口率を実現できる（同【００４１】、【００４２】、図１）、
ことが記載されていると認められる。
　そうすると、スペーサーが配置されているところは、上記ｂにもかかわらず、配向異常領域それ自体というよりは、むしろ、ＢＭ９の線幅が広くされている領域であると解することが相当である。
　したがって、本件補正前の請求項１における「前記遮光層が幅広に形成されている配向異常領域」は「前記遮光層が幅広に形成されている領域」の誤記であると解される。
　
（エ）上記（ウ）によれば、上記（２）エの補正のうち、「前記遮光層が幅広に形成されている配向異常領域」を「前記遮光層が幅広に形成されている領域」とする補正は、誤記を訂正するものであって、実質的な変更を伴うものではないといえる。
　
（４）上記（３）によれば、本件補正前の請求項１に対してなされた補正は平成１８年改正前特許法第１７条の２第４項第２号の特許請求の範囲の減縮を目的としたものに該当するといえるから、本件補正後の請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
２　引用例
（１）原査定の拒絶の理由において引用された特開２０００−２２７５９８号公報（以下「引用例」という。）には、図とともに以下の事項が記載されている。
　
「【００１５】
【発明の実施の形態】以下、本発明による液晶表示装置の実施例を図面を用いて説明する。
【００１６】〔実施例１〕図１は、いわゆる横電界方式と称される液晶表示装置の各画素のうちの一つの画素を示す平面図である。
【００１７】ここで、この実施例の液晶表示装置において、その液晶は正の誘電率異方性を有するものが用いられるようになっている。
【００１８】各画素はマトリックス状に配置されて表示部を構成している。このため、図１に示す画素の構成はその左右および上下に隣接する画素の構成と同様となっている。
【００１９】まず、液晶を介して対向配置される透明基板のうち、一方の透明基板１の液晶側の面において図中ｘ方向に延在する走査信号線（ゲート線）２がたとえばクロム層によって形成されている。このゲート線２は、図中に示すように、たとえば画素領域の下側に形成され、実質的に画素として機能する領域をできるだけ大きくとるようになっている。
【００２０】そして、このゲート線２は表示部外からゲート信号が供給されるようになっており、後述の薄膜トランジスタＴＦＴを駆動させるようになっている。
【００２１】また、画素領域のほぼ中央には図中ｘ方向に延在する対向電圧信号線４がたとえばゲート線２と同じ材料によって形成されている。
【００２２】対向電圧信号線４には対向電極４Ａが一体的に形成され、この対向電極４Ａは画素領域内で該対向電圧信号線４とともにほぼ’Ｈ’字状のパターンで形成されている。
【００２３】この対向電極４Ａは、後述する画素電極５に供給される映像信号に対して基準となる信号が該対向電圧信号線４を介して供給されるようになっており、該画素電極５との間に前記映像信号に対応した強度の電界を発生せしめるようになっている。
【００２４】この電界は透明基板１面に対して平行な成分をもち、この成分からなる電界によって液晶の光透過率を制御するようになっている。この実施例で説明する液晶表示装置がいわゆる横電界方式と称される所以となっている。
【００２５】なお、対向電圧信号線４には表示部外から基準信号が供給されるようになっている。
【００２６】そして、このようにゲート線２および対向電圧信号線４が形成された透明基板１面には、該ゲート線２および対向電圧信号線４をも含んでたとえばシリコン窒化膜からなる絶縁膜（図示せず）が形成されている。
【００２７】この絶縁膜は、後述の薄膜トランジスタＴＦＴの形成領域においてはそのゲート絶縁膜としての機能、後述の映像信号線（ドレイン線）３の形成領域においてはゲート線２および対向電圧信号線４に対する層間絶縁膜としての機能、後述の容量素子Ｃａｄｄの形成領域においてはその誘電体膜としての機能を有するようになっている。
【００２８】このような絶縁膜において、ゲート線２と重畳して薄膜トランジスタＴＦＴが形成され、その部分にはたとえばアモルファスＳｉからなる半導体層６が形成されている。
【００２９】そして、半導体層６の上面にドレイン電極３Ａおよびソース電極５Ａが形成されることによって、前記ゲート線２の一部をゲート電極とするいわゆる逆スタガ構造の薄膜トランジスタが構成される。
【００３０】ここで、半導体層６上のドレイン電極３Ａおよびソース電極５Ａは、たとえばドレイン線３の形成時に画素電極５ともに同時に形成されるようになっている。
【００３１】すなわち、図中ｙ方向に延在するドレイン線３が形成され、このドレイン線３に一体的に形成されるドレイン電極３Ａが半導体層６上に形成されている。
【００３２】ここで、ドレイン線３は、図中に示すように、たとえば画素領域の左側に形成され、実質的に画素として機能する領域をできるだけ大きくとるようになっている。
【００３３】また、ソース電極５Ａは、ドレイン線３と同時に形成され、この際、画素電極５と一体的に形成されるようになっている。
【００３４】この画素電極５は、前述した対向電極４Ａの間を走行するようにして図中ｙ方向に延在するようにして形成されている。換言すれば、画素電極５の両脇にほぼ等間隔に対向電極４Ａが配置されるようになっており、該画素電極５と対向電極４Ａとの間に電界を発生せしめるようになっている。
【００３５】ここで、図中からも明らかとなるように、画素電極５は、対向電圧信号線４を境にして屈曲されたたとえば逆’く’字状のパターンに構成され、これにともない、該画素電極５と対向する各対向電極４Ａも画素電極５に対して平行に離間されるようにその幅が変化するように構成されている。
【００３６】すなわち、屈曲された画素電極５がその長手方向において、同図に示すように均一な幅を有している場合、その両脇に位置づけられる対向電極４Ａは、そのドレイン線３側の辺においては該ドレイン線３と平行に、また、画素電極５側の辺においては該画素電極５と平行になって形成されている。
【００３７】これにより、画素電極５と対向電極４Ａとの間に発生する電界Ｅの方向は、対向電圧共通線４を境として、図中、その下側の画素領域においては該対向電圧共通線４に対して（−）θとなっており、上側の画素領域においては該対向電圧共通線４に対して（＋）θとなっている。
【００３８】このように、一画素の領域内（必ずしも一画素の領域内に限らず、他の画素との関係であってもよい）において、電界Ｅの方向を異ならしめているのは、一定の初期配向方向に対して液晶分子をそれぞれ逆方向へ回転させて光透過率を変化させることにある。
【００３９】このようにすることによって、液晶表示パネルの主視角方向に対して視点を斜めに傾けると輝度の逆転現象を引き起こすという液晶表示パネルの視角依存性による不都合を解消した構成となっている。
【００４０】なお、この実施例では、液晶分子の初期配向方向はドレイン線３の延在方向とほぼ一致づけられており、後述する配向膜におけるラビング方向はドレイン線３に沿ってなされるようになっている。
【００４１】このため、上述した電界方向θは、該初期配向方向との関係で適切な値が設定されるようになっている。一般的には、このθは、電界Ｅのゲート線２に対する角度の絶対値が電界Ｅのドレイン線３に対する角度の絶対値より小さくなっている。
【００４２】そして、前記画素電極５において、その対向電圧信号線４に重畳する部分はその面積を大ならしめるように形成され、該対向電圧信号線４との間に容量素子Ｃａｄｄが形成されている。この場合の誘電体膜は前述した絶縁膜となっている。
【００４３】この容量素子Ｃａｄｄはたとえば画素電極５に供給される映像信号を比較的長く蓄積させるために形成されるようになっている。すなわち、ゲート線２から走査信号が供給されることによって薄膜トランジスタＴＦＴがオンし、ドレイン線３からの映像信号がこの薄膜トランジスタＴＦＴを介して画素電極５に供給される。その後、薄膜トランジスタＴＦＴがオフした場合でも、画素電極５に供給された映像信号は該容量素子Ｃａｄｄによって蓄積されるようになっている。
【００４４】そして、このように形成された透明基板１の表面の全域には、たとえばシリコン窒化膜からなる保護膜（図示せず）が形成され、たとえば薄膜トランジスタＴＦＴの液晶への直接の接触を回避できるようになっている。
【００４５】さらに、この保護膜の上面には、液晶の初期配向方向を決定づける配向膜（図示せず）が形成されている。この配向膜は、たとえば合成樹脂膜を被服し、その表面に前述したようにドレイン線の延在方向に沿ったラビング処理がなされることによって形成されている。
【００４６】このようにして表面加工がなされた透明基板はいわゆるＴＦＴ基板１Ａと称され、その配向膜が形成された面に液晶を介在させていわゆるフィルタ基板１Ｂと称される透明基板を対向配置させることによって液晶表示パネルが完成されることになる。
【００４７】フィルタ基板１Ｂには、その液晶側の面に画素領域の輪郭を画するブラックマトリックス（その外輪郭を図１に示している）ＢＭ、このブラックマトリックスの開口部（画素領域の周辺を除く中央部に相当する）に形成されたカラーフィルタ、および液晶と接触するようして形成された配向膜等が形成されている。
【００４８】ここで、フィルタ基板１Ｂ側の配向膜は、ＴＦＴ基板１Ａ側のそれと同様、たとえば合成樹脂膜を被服し、その表面に前述したようにドレイン線３の延在方向に沿ったラビング処理がなされることによって形成されている。
【００４９】いわゆる横電界方式の液晶表示装置においては、液晶を介して配置されるそれぞれの配向膜における配向方向はいずれもほぼ同方向で、その方向は、本実施例の場合、ドレイン線３の延在方向にほぼ一致づけられている。
【００５０】さらに、液晶を介して互いに対向配置されるＴＦＴ基板１Ａとフィルタ基板１Ｂとの間にはそれらの間のギャップを保持するため、スペーサ１０が介在されている。上述したように、これにより液晶の層厚を均一なものとして表示むらの発生を防止せんがためである。
【００５１】この場合のスペーサ１０は、たとえばフィルタ基板１Ｂ側に予め所定の個所に固定されて配置されたもので、本実施例の場合、ドレイン線３に重畳するようにして設けられている。
【００５２】図２は図１のII−II線における断面を示す図である。フィルタ基板１Ｂ側の透明基板の液晶側の面にはブラックマトリックスＢＭが形成され、このブラックマトリックスＢＭの一部において突起体が形成されることによって、この突起体が前記スペーサ１０として機能するようになっている。
【００５３】この突起体は、たとえば通常より厚めの遮光材料層を全面に形成し、周知のフォトリソグラフィ技術による選択エッチング方法で形成することができる。その後、再びフォトリソグラフィ技術による選択エッチング方法で開口部を形成することによってブラックマトリックスＢＭを形成することができる。
【００５４】このブラックマトリックスＢＭは、図１に示すように、ゲート線２およびその近傍、ドレイン線３およびその近傍を被って形成され、その開口部は、画素電極５と対向電極４Ａとの間の領域を露出し、画素電極５と対向電極４Ａの端部を覆い隠すようにして形成されている。
【００５５】ブラックマトリックスの開口部は、それが大きければ画素の開口率をより向上させることができるが、不要電界（ドレイン線３と対向電極４Ａとの間に生じる）および電界の乱れ（画素電極５と対向電極４Ａの端部の近傍に生じる）を覆い隠すに足りる程度に最大限の大きさに設定されている。
【００５６】そして、ブラックマトリックスＢＭの開口部にはカラーフィルタ７が形成され、それらを被って平坦膜８が形成され、さらに、この平坦膜８を被うようにして配向膜９が形成されている。
【００５７】この配向膜９は、上述したように、ドレイン線３の延在方向に沿ってラビング処理がなされたものであり、具体的には、図３に示すように、ローラ１００を配向膜９に当接させた状態でドレイン線３の延在方向に移動させるようになっている。
【００５８】この場合、同図に示すように、スペーサ１０が形成されている部分はその突起体によって、ローラ１００が浮き上がり、該スペーサ１０の背面側において充分な配向ができない（配向乱れ２００の発生）という不都合が生じる。
【００５９】しかし、この部分は、図１に示すように、予め形成されているブラックマトリックスの形成領域内において発生するようになっており、該配向乱れによる表示むらを憂うことがないという効果を奏するようになる。
【００６０】なお、この実施例では、スペーサ１０に起因する配向乱れをブラックマトリックスＢＭ内に位置づけられるように構成したが、特に、この部分においてブラックマトリックスＢＭがない状態であってもよいことはいうまでもない。
【００６１】ドレイン線３に重畳されたスペーサ１０に起因する配向乱れは遮光領域となる該ドレイン線３によって覆い隠され同様の効果を奏するからである。
【００６２】また、対向電極４Ａに接続される対向電圧信号線４をドレイン線３と平行に延在させて構成することもでき、このようにした場合に、該スペーサ１０を対向電圧信号線４に重畳するように構成しても同様の効果を奏することはいうまでもない。対向電圧信号線４も該スペーサ１０の遮光領域となるからである。
【００６３】〔実施例２〕図４は、本発明による液晶表示装置の他の実施例を示す平面図で、図１と対応した図となっている。
【００６４】同図において、ゲート線２、対向電圧信号線４、対向電極４Ａ、ドレイン線３、画素電極５等のパターンは図１と同様となっている。
【００６５】図１の場合と異なる構成は、まず、用いられる液晶は負の誘電率異方性を有するものとなっている。
【００６６】そして、ＴＦＴ基板１Ａおよびフィルタ基板１Ｂのそれぞの側の配向膜のラビング方向（初期配向方向）はゲート線２の延在方向に沿ってなされるようになっている。
【００６７】さらに、基板に固定されるスペーサ１０はゲート線２に重畳されるようにして配置されていることにある。
【００６８】スペーサ１０に起因する配向膜の配向乱れはゲート線２に沿って生じることになり、この場合において、該配向乱れはゲート線２あるいはブラックマトリックスＢＭによる遮光領域によって覆い隠されることになる。」
　
（２）上記（１）の記載事項によれば、引用例には、
「液晶を介して対向配置されるＴＦＴ基板１Ａ及びフィルタ基板１Ｂのうち、ＴＦＴ基板１Ａの液晶側の面においてｘ方向に延在するゲート線２とｙ方向に延在するドレイン線３が形成され、
　画素領域のほぼ中央にはｘ方向に延在する対向電圧信号線４が形成され、対向電圧信号線４には対向電極４Ａが一体的に形成され、この対向電極４Ａは画素領域内で該対向電圧信号線４とともにほぼＨ’字状のパターンで形成され、
　ゲート線２及び対向電圧信号線４が形成されたＴＦＴ基板面には、該ゲート線２および対向電圧信号線４をも含んで絶縁膜が形成されており、この絶縁膜はＴＦＴの形成領域においてはそのゲート絶縁膜としての機能、ドレイン線３の形成領域においてはゲート線２に対する層間絶縁膜としての機能を有しており、
　ゲート線２と重畳してＴＦＴが形成され、その部分には半導体層６が形成され、半導体層６の上面にドレイン電極３Ａおよびソース電極５Ａが形成され、
　ドレイン電極３Ａは、ドレイン線３に一体的に形成されており、
　ソース電極５Ａは画素電極５と一体的に形成されており、
　画素電極５と対向する各対向電極４Ａは画素電極５に対して平行に離間されており、
　ＴＦＴ基板１Ａとフィルタ基板１Ｂとの間にはそれらの間のギャップを保持するため、スペーサ１０が介在されており、これにより液晶の膜厚は均一とされており、
　フィルタ基板１Ｂの液晶側の面にはブラックマトリックスＢＭが形成され、このブラックマトリックスＢＭは、ゲート線２およびその近傍、ドレイン線３およびその近傍を被って形成され、その開口部は、画素電極５と対向電極４Ａとの間の領域を露出し、画素電極５と対向電極４Ａの端部を覆い隠すようにして形成されており、ブラックマトリックスＢＭの開口部は、不要電界（ドレイン線３と対向電極４Ａとの間に生じる）および電界の乱れ（画素電極５と対向電極４Ａの端部の近傍に生じる）を覆い隠すに足りる程度に最大限の大きさに設定されており、
　ブラックマトリックスＢＭの開口部にはカラーフィルタ７が形成され、それらを被って平坦膜８が形成されており、
　フィルタ基板１Ｂに固定されるスペーサ１０はゲート線２に重畳されるようにして配置されている、
　横電界方式の液晶表示装置。」の発明（以下「引用発明」という。）が記載されていると認められる。
　
３　対比
（１）本願補正発明と引用発明とを以下に対比する。
ア　引用発明の「ＴＦＴ基板」、「フィルタ基板」、「スペーサ」、「液晶」、「液晶表示装置」、「ゲート線」、「絶縁膜」、「ドレイン線」、「ＴＦＴ」、「画素電極」、「対向電極」、「カラーフィルタ」及び「ブラックマトリックス」、は、それぞれ、「第１の基板」、「第２の基板」、「スペーサー」、「液晶層」、「液晶表示装置」、「ゲート配線」、「絶縁膜」、「ソース配線」、「スイッチング素子」、「液晶駆動電極」、「共通電極」、「着色層」及び「遮光層」に相当することが明らかである。
　
イ　引用発明の液晶表示装置は、「液晶を介して対向配置されるＴＦＴ基板１Ａ及びフィルタ基板１Ｂ」を備えているから、本願補正発明の「対向配置された第１の基板及び第２の基板」と「その間に挟持された液晶層」を備えている。
　
ウ　引用発明の液晶表示装置は、「ＴＦＴ基板１Ａとフィルタ基板１Ｂとの間にはそれらの間のギャップを保持するため、スペーサ１０が介在されており、これにより液晶の膜厚は均一とされて」いるから、本願補正発明の「当該基板間の距離を略一定に隔てるスペーサー」を備えている。
　
エ　引用発明の液晶表示装置の第１の基板は、
（ア）「ＴＦＴ基板１Ａの液晶側の面においてｘ方向に延在するゲート線２とｙ方向に延在するドレイン線３が形成され」、「ゲート線２・・・が形成されたＴＦＴ基板面には、該ゲート線２・・・をも含んで絶縁膜が形成されており、この絶縁膜は・・・ドレイン線３の形成領域においてはゲート線２に対する層間絶縁膜としての機能を有して」いるから、本願補正発明の「ゲート配線と、前記ゲート配線と絶縁膜を介して交差するソース配線」を備えており、
（イ）「ＴＦＴが形成され、その部分には半導体層６が形成され、半導体層６の上面にドレイン電極３Ａ・・・が形成され」、「ドレイン電極３Ａは、ドレイン線３に一体的に形成されて」いるから、本願補正発明の「前記ソース配線と接続されたスイッチング素子」を備えており、
（ウ）「ＴＦＴが形成され、その部分には半導体層６が形成され、半導体層６の上面に・・・ソース電極５Ａが形成され」、「ソース電極５Ａは画素電極５と一体的に形成されて」いるから、本願補正発明が「前記スイッチング素子に接続され、複数本の略平行な電極よりなる液晶駆動電極」を備えていることとは、「前記スイッチング素子に接続された液晶駆動電極」を備えている点で一致し、
（エ）「画素電極５と対向する各対向電極４Ａは画素電極５に対して平行に離間されて」いるから、本願補正発明の「前記液晶駆動電極の前記電極と略平行かつ交互に配置された複数本の電極よりなる共通電極」を備えている。
　
オ　引用発明の液晶表示装置の第２の基板は、「ブラックマトリックスＢＭの開口部にはカラーフィルタ７が形成され、それらを被って平坦膜８が形成されて」いるから、本願補正発明の「アレイ状に配置された着色層と、前記着色層の間に設けられた遮光層」とを備えていることが明らかである。
　
カ　引用発明の液晶表示装置においては、「フィルタ基板１Ｂの液晶側の面にはブラックマトリックスＢＭが形成され、このブラックマトリックスＢＭは、ゲート線２およびその近傍、ドレイン線３およびその近傍を被って形成され、その開口部は、画素電極５と対向電極４Ａとの間の領域を露出し、画素電極５と対向電極４Ａの端部を覆い隠すようにして形成されており、ブラックマトリックスＢＭの開口部は、不要電界（ドレイン線３と対向電極４Ａとの間に生じる）および電界の乱れ（画素電極５と対向電極４Ａの端部の近傍に生じる）を覆い隠すに足りる程度に最大限の大きさに設定されて」いるところ、
（ア）上記「電界の乱れ」は画素電極５と対向電極４Ａの端部の近傍に生じるところ、当該近傍はゲート線２にも近接しているといえるものであって、
（イ）上記「電界の乱れ」が存在する領域において、「配向異常」が存在し、かつ、「黒表示時に光漏れが発生する」ことは当業者に自明であり、
（ウ）上記「電界の乱れ」を覆い隠す箇所はその分ブラックマトリックスの幅を広げていることになるから、「遮光層が幅広に形成され」ているといえる。
　そうすると、引用発明の液晶表示装置は、本願補正発明の「前記ゲート配線、前記液晶駆動電極及び前記共通電極が近接した、黒表示時に光漏れが発生する配向異常領域で、前記遮光層が幅広に形成され」との構成を備えるものといえる。
　
キ　引用発明の液晶表示装置においては、「フィルタ基板１Ｂの液晶側の面にはブラックマトリックスＢＭが形成され、このブラックマトリックスＢＭは、ゲート線２およびその近傍・・・を被って形成され」ており、「フィルタ基板１Ｂに固定されるスペーサ１０はゲート線２に重畳されるようにして配置されている」から、上記カに照らせば、本願補正発明の「前記第１の基板と前記第２の基板を対向配置した際に、・・・前記遮光層が幅広に形成されている領域に、前記スペーサーが前記遮光層及び前記ゲート配線に重畳するように形成されている」ことが明らかである。
　
（２）上記（１）によれば、本願補正発明と引用発明とは、
「対向配置された第１の基板及び第２の基板と
　当該基板間の距離を略一定に隔てるスペーサーと、
　その間に挟持された液晶層とを備える液晶表示装置であって、
　前記第１の基板はゲート配線と、
　前記ゲート配線と絶縁膜を介して交差するソース配線と、
　前記ソース配線と接続されたスイッチング素子と、
　前記スイッチング素子に接続された液晶駆動電極と、
　前記液晶駆動電極の前記電極と略平行かつ交互に配置された複数本の電極よりなる共通電極とを備え、
　前記第２の基板はアレイ状に配置された着色層と、
　前記着色層の間に設けられた遮光層とを備え、
　前記第１の基板と前記第２の基板を対向配置した際に、前記ゲート配線、前記液晶駆動電極及び前記共通電極が近接した、黒表示時に光漏れが発生する配向異常領域で、前記遮光層が幅広に形成され、
　前記遮光層が幅広に形成されている領域に、前記スペーサーが前記遮光層及び前記ゲート配線に重畳するように形成されている液晶表示装置。」である点で一致し、以下の点で相違する。
　
[相違点]
　本願補正発明においては、液晶駆動電極が複数本の略平行な電極よりなっているのに対し、引用発明においてはそうなっていない点。
　
４　判断
　上記[相違点]について検討するに、横電界方式の液晶表示装置において、液晶駆動電極を複数本の略平行な電極とすることは、例示するまでもなく、本願優先日前に周知な技術にすぎないから、引用発明において、上記周知技術を採用し本願補正発明のようにすることは、当業者が容易に想到し得たことである。
　そして、本願補正発明の効果は、引用発明及び上記周知技術から予測し得たものにすぎない。
　したがって、本願補正発明は、引用発明及び上記周知技術に基づいて当業者が容易に発明をすることができたものであるから、特許法第２９条第２項の規定により特許出願の際独立して特許を受けることができない。
　
５　まとめ
　以上のとおり、本件補正は、平成１８年改正前特許法第１７条の２第５項で準用する同法第１２６条第５項の規定に違反するものであるから、同法第１５９条第１項の規定において読み替えて準用する同法第５３条第１項の規定により却下すべきものである。
　
第３　本願発明について
１　本件補正は上記第２のとおり却下されたので、本願の請求項に係る発明は、平成１９年１月３０日付け手続補正書により補正された明細書の特許請求の範囲の請求項１〜５に記載された事項により特定されるものであって、その請求項１に係る発明（以下「本願発明」という。）は、上記第２の１（１）において、本件補正前の請求項１として記載したとおりのものである。
　
２　引用例
　原査定の拒絶の理由に引用された引用例及びその記載事項は、上記第２の２のとおりである。
　
３　対比・判断
　本願発明は、上記第２で検討した本願補正発明において、上記第２の１（２）イの限定を省くとともに、同ア、ウ及びエの補正を行わなかったものに相当するところ、上記第２の１（３）で検討したとおり、同ア、ウ及びエの補正は実質的な変更を伴うものではない。
　そうすると、本願補正発明は、本願発明の発明特定事項を全て含み、更に他の要件を付加したものに相当するといえるところ、上記第２の４のとおり、引用例に記載された発明及び上記周知技術に基づいて、当業者が容易に発明をすることができたものであるから、本願発明も、同様の理由により、引用例に記載された発明及び上記周知技術に基づいて、当業者が容易に発明をすることができたものである。
　
４　むすび
　以上のとおり、本願発明は、引用例に記載された発明及び上記周知技術に基づいて当業者が容易に発明をすることができたものであるから、特許法第２９条第２項の規定により特許を受けることができない。
　よって、結論のとおり審決する。